(57)【要約】【課題】本発明は高周波加熱装置の開閉器の動作機構に関するもので、構造の簡素化と組立の容易性を維持しつつ、開閉器取付機構の動作の信頼性と安全性を図る。【解決手段】開閉器３、４、５を固定する開閉器取付板２は、回動可能に軸支された開閉器作動部材６と、この開閉器作動部材６の回動範囲を規制するストッパー２Ｂを備え、開閉器作動部材６はその一部分がドアーキー７のフック部７Ｂを係合する開口２Ｄの近傍に位置して開閉器５の一部を外部から遮蔽する。また、ストッパー２Ｂが開閉器作動部材６の回動範囲を規制するので、フック部７Ｂの係合を解除する際に開閉レバー９の自由端部９Ａの動作は開閉器作動部材６によって妨害されることがなく、扉８の開閉がスムースに行える。【選択図】  図２
2004198082.tif 000002
【特許請求の範囲】
【請求項１】
開口部を有し、被加熱物を載置する加熱庫と、前記加熱庫に取り付けられて前記開口部を開閉する扉と、前記扉に摺動または回動可能に取り付けられ、可動範囲内の一方向に付勢されたドアーキーと、前記扉の開閉に応じて前記ドアーキーのフック部により作動する複数個の開閉器と、前記扉が閉じられた時に前記フック部を受け入れて係合する開口を有し、前記複数個の開閉器を固定する開閉器取付板と、前記開閉器取付板に回動可能に軸支された開閉器作動部材とから成り、前記開閉器作動部材はその一部分が前記開口の近傍に位置して前記複数個の開閉器のうちの一つ以上の開閉器の少なくとも一部を外部から遮蔽する構成の高周波加熱装置。
【請求項２】
前記開閉器取付板は、前記開閉器作動部材が所定距離を超えて前記開口に近づかないよう前記開閉器作動部材の回動範囲を規制するストッパーをさらに備えた、請求項１に記載の高周波加熱装置。
【請求項３】
前記ストッパーは前記開閉器取付板に一体に成型されている、請求項３に記載の高周波加熱装置。
【請求項４】
前記ストッパーは前記開閉器作動部材が所定距離を超えて前記開口に近づかないよう前記開閉器作動部材を前記開口から離れる方向に付勢するばね部材である、請求項２に記載の高周波加熱装置。
【請求項５】
前記ばね部材は前記開閉器取付板に一体に成型されている、請求項４に記載の高周波加熱装置。
【請求項６】
前記開口部の近傍に回動自在に軸支されて前記複数個の開閉器のうち少なくとも一つ開閉器を開閉すると共に前記扉を開くための開閉レバーをさらに備え、前記開閉レバーはその一部が押圧されると前記フック部を押して前記開閉器取付板との係合を解除する自由端部を有し、前記自由端部の厚みを前記所定距離よりも小さくした、請求項１から５のいずれか１に記載の高周波加熱装置。
【請求項７】
前記開閉器取付板は、前記複数個の開閉器のうち少なくとも一つの開閉器の取り付け位置を前記開閉レバーの有無に応じて選択できるよう２箇所以上に設けた、請求項６に記載の高周波加熱装置。
【発明の詳細な説明】
【０００１】
【発明の属する技術分野】
本発明は高周波加熱装置に関し、特に扉の開閉によって動作する開閉器の取り付け構造と動作機構に関する。
【０００２】
【従来の技術】
電子レンジなどの高周波加熱装置には、一般に加熱庫の扉を開くと同時に高周波の発生を停止させる複数個の安全用開閉器を備えている。これらの開閉器は、使用者が外部から誤操作されることのないような遮蔽性や動作の信頼性、塵からの保護などのため、その取り付け構造や動作機構は複雑である。
【０００３】
従来の開閉器取り付け構造の１例を図１１に示す。この機構には３個の開閉器２３，２４，２５と、これら開閉器を間接的に作動する上フック部２７Ａと下フック部２７Ｂと、これらフック部２７Ａ、２７Ｂによって回動してそれぞれの開閉器を作動する３個の開閉器作動部材２６Ａ、２６Ｂ、２６Ｃが使用されている。このため、その構造は複雑であり、それぞれの部品には高い寸法精度が要求され、かつ組立にも時間とスキルが求められる（例えば特許文献１参照）。
【０００４】
従来の開閉器取り付け構造の別な例を図１２に示す。この機構では、開閉器２３と２４は１体構造のドアーキー２７の上フック部２７Ａと下フック部２７Ｂによりそれぞれ直接に作動されるので、開閉器２５を作動する開閉器作動部材２６を１個のみ使用しており、図１１の構成よりは全体的に簡単な構造である。しかし、開閉器２５の確実な動作を確保するために開閉器作動部材２６は複雑な形状となっており、高い寸法精度が要求される。（例えば特許文献２参照）。
【０００５】
一方、これら上記の問題点を解決するために、最近の高周波加熱装置の一部には図１３の構造が採用されている。この構造では、３個の開閉器２３、２４，２５はいずれもドアーキー２７の上フック部２７Ａと下フック部２７Ｂにより直接に作動されるので、より簡単な構造を実現している。
【０００６】
【特許文献１】
特開２０００−１５６２８３号公報（第１、２図）
【特許文献２】
特開２００１−３１９７６９号公報（第１図）
【０００７】
【発明が解決しようとする課題】
上述した従来の構造では、開閉器が複数の開閉器作動部材を介してドアーキーのフック部により間接的に作動させられる構造であり、複雑な構造、高い寸法精度、組立に多くの時間とスキルが要求される。また、ドアーキーのフック部により開閉器を直接作動する構造では、開閉器のアクチュエータ部周辺が下フック部用の開口を通じて外部から見えるため、子供がいたずらで指や器物を差し込んだ場合の誤動作や、塵による動作不良などの懸念があり好ましくない。本発明は上記従来の課題を解決するもので、簡単な構造の開閉器取付板と開閉器作動部材の組み合せに加えて、前記開閉器作動部材の回動範囲を規制するストッパーを備えた構成により、開閉器の動作の信頼性と安全性を維持しつつ組立工数とコストが低減可能な高周波加熱装置の開閉器取付機構を提供することを目的とする。
【０００８】
【課題を解決するための手段】
上記従来の課題を解決するため、本発明の高周波加熱装置は、開口部を有して被加熱物を載置する加熱庫と、前記加熱庫に取り付けられて前記開口部を開閉する扉と、前記扉に摺動または回動可能に取り付けられ、可動範囲内の一方向に付勢されたドアーキーと、前記扉の開閉に応じて前記ドアーキーのフック部により作動する複数個の開閉器と、前記扉が閉じられた時に前記フック部を受け入れて係合する開口を有し、前記複数個の開閉器を固定する開閉器取付板と、前記開閉器取付板に回動可能に軸支された開閉器作動部材とから構成され、前記開閉器作動部材はその一部分が前記開口の近傍に位置して前記複数個の開閉器のうち一つ以上の開閉器の少なくとも一部を外部から遮蔽している。
【０００９】
【発明の実施の形態】
本発明の請求項１に記載の発明は、開口部を有して被加熱物を載置する加熱庫と、前記加熱庫に取り付けられて前記開口部を開閉する扉と、前記扉に摺動または回動可能に取り付けられ、可動範囲内の一方向に付勢されたドアーキーと、前記扉の開閉に応じて前記ドアーキーのフック部により作動する複数個の開閉器と、前記扉が閉じられた時に前記フック部を受け入れて係合する開口を有し、前記複数個の開閉器を固定する開閉器取付板と、前記開閉器取付板に回動可能に軸支された開閉器作動部材とから構成され、前記開閉器作動部材はその一部分が前記開口の近傍に位置して前記複数個の開閉器のうち一つ以上の開閉器の少なくとも一部を外部から遮蔽する構成の高周波加熱装置である。この構造によりいたずらによる誤動作や、塵による動作不良などを低減することができる。
【００１０】
請求項２に記載の発明は、前記開閉器取付板に、前記開閉器作動部材が所定距離を超えて前記開口に近づかないよう前記開閉器作動部材の回動範囲を規制するストッパーを備えた構成の高周波加熱装置である。この構造によりいたずらによる誤動作や、塵による動作不良などを低減することができる。
【００１１】
請求項３に記載の発明は、前記ストッパーを前記開閉器取付板に一体に成型したものであり、部品の数を減らして組立をさらに容易にすることができる。
【００１２】
請求項４に記載の発明は、請求項２に記載のストッパーを前記開閉器作動部材が所定距離を超えて前記開口に近づかないよう前記開閉器作動部材を前記開口から離れる方向に付勢するばね部材としたものであり、いたずらによる誤動作や、塵による動作不良などを低減することができる。
【００１３】
請求項５に記載の発明は、前記ばね部材を前記開閉器取付板に一体に成型したものであり、部品の数を減らして組立をさらに容易にすることができる。
【００１４】
請求項６に記載の発明は、前記開口部の近傍に回動自在に軸支されて前記複数個の開閉器のうち少なくとも一つ開閉器を開閉すると共に前記扉を開閉するための開閉レバーをさらに備え、前記開閉レバーは前記扉を開く時に押圧されると前記フック部を押して前記開閉器取付板との係合を解除する自由端部を有し、前記自由端部の厚みを前記所定距離よりも小さくした構成の高周波加熱装置である。この構造により、開閉レバーを押したときに自由端部は前記開閉器作動部材に邪魔されることなく前記フック部を押して、スムースに扉を開くことができる。
【００１５】
請求項７に記載の発明は、前記複数個の開閉器のうち少なくとも一つの開閉器の取り付け位置を前記開閉レバーの有無に応じて選択できるよう、前記開閉器取付板上に取り付け位置を２箇所以上設けた高周波加熱装置である。この構造は、開閉レバーがなく、扉に設けられたハンドルで扉の開閉を行う高周波加熱装置に有効なものである。前記複数個の開閉器のうち少なくとも１個をいずれか適切な位置に取り付けることができるので、この開閉器取付機構を開閉レバーのない高周波加熱装置にも共用できる。
【００１６】
【実施例】
以下本発明の実施例について添付図面を参照して説明する。
【００１７】
（実施例１）
図１は本発明の第一の実施例による高周波加熱装置の正面図、図２は同高周波加熱装置の開閉器取付機構の側面図、図３は同開閉器取付機構の正面図、図４は加熱庫の扉に設けられたドアーキーの外観図、図５は扉を開閉するための開閉レバーの側面図、図６は扉が閉じられて同開閉器取付機構にドアーキーのフック部が係合したときの側面図である。図１において、高周波加熱装置の右下部分には扉を開く際に押される扉開閉ボタン１が設けられている。図２に示す開閉器取付板２は、第一の開閉器３と、第二の開閉器４と、第三の開閉器５を位置決めする窪みまたは突起などと、ばね性を有するフックを備えて、これらの開閉器を固定している。第三の開閉器５の前方には、開閉器取付板２に形成された軸２Ａに開閉器作動部材６がその一部を開口２Ｄの背後に位置して回動自在に設けられている。開閉器取付板２には、さらにストッパー２Ｂが形成され、開閉器作動部材６の回動範囲を規制している。また、図３に示すように、開閉器取付板２には開口２Ｃと２Ｄが形成され、加熱庫（図示せず）の扉が閉じられたときに、図４のドアーキー７の上フック部７Ａと下フック部７Ｂをそれぞれに受け入れて係合し（図６参照）、扉を閉じた状態に保持する。
【００１８】
上記の構成において、第一の開閉器３と第二の開閉器４は高周波の発振停止装置であり、高周波発振回路を開閉する。第三の開閉器５は、第一の開閉器３と第二の開閉器４のいずれか一方または双方のモニター装置であり、それら第一と第二の開閉器３、４のいずれかに異常が生じた際に高周波発振回路を動作不能にする。
【００１９】
図４，６に示すように、ドアーキー７は扉８に摺動または回動自在に取り付けられ、ばねなどの弾性体でその可動範囲内の一方向（図６の例では下向きの方向）に付勢されている。扉８が閉じられると、下フック部７Ｂによって第三の開閉器５が押されて接点が開く。次に上フック部７Ａによって第一の開閉器３が、下フック部７Ｂによって開閉レバー９を介して第二の開閉器４がそれぞれ下方向に押されて接点が閉じ、高周波による加熱庫内の被加熱物の加熱が可能になる。
【００２０】
図５と６において、前記扉８を開くための開閉レバー９は、加熱庫の開口部の近傍に回動自在に軸支されている。開閉レバー９は扉開閉ボタン１によって押圧されると、その自由端部９Ａが下フック部７Ｂを上方向に押して前記開閉器取付板２との係合を解除して扉８を開放する。このときに、第一の開閉器３と第二の開閉器４の接点が開き、加熱中であっても高周波の発振回路を開放する。続いて第三の開閉器５の接点が閉じ、万一第一と第二の開閉器３、４のいずれか、または両方に異常が生じていないかをモニターする。万一そのような異常が生じた際には、第三の開閉器５が高周波発振回路を動作不能にして、使用者の安全を図っている。
【００２１】
前述したように、開閉器取付板２にはストッパー２Ｂが形成され、開閉器作動部材６の回動範囲を規制している。この構成により、開閉器作動部材６は第三の開閉器５が開口２Ｄから見えないように遮蔽しているので、使用者がいたずらで指や器物を差し込む可能性を軽減し、かつ塵による動作不良などの懸念を軽減することができる。
【００２２】
上記のストッパー２Ｂは、開閉器取付板２に別部品を取り付けてもよいし、開閉器取付板２と一体に形成することも可能である。またストッパー２Ｂは、前記開閉器作動部材６が所定距離を超えて前記開口２Ｄに近づかないよう前記開閉器作動部材６を前記開口２Ｄから離れる方向に付勢するばね部材としてもよく、このばね部材も、開閉器取付板２とは別部品、または開閉器取付板２と一体に形成してもよい。
【００２３】
上述のように、開閉レバー９は扉開閉ボタン１によって押圧されると、その自由端部９Ａが上方向に移動するので、扉８が開くときに万一開閉器作動部材６が前方向に移動すると、開閉レバー９の自由端部９Ａの動作が妨げられる。その場合自由端部９Ａは下フック部７Ｂを上方向に押し上げることができないので、扉８が開かなくなる可能性がある。本実施例では、前記自由端部９Ａの厚みを前記所定距離よりも小さく構成している。この構成により、開閉レバー９が前方向に移動した場合でも、開閉レバー９の自由端部９Ａの動作が開閉器作動部材６によって邪魔されることなく、扉の開閉がスムースに行える。
【００２４】
（実施例２）
図７は本発明の第二の実施例による高周波加熱装置の正面図、図８は同高周波加熱装置の開閉器取付機構の側面図、図９は加熱庫の扉に設けられたドアーキーの外観図、図１０は扉が閉じられて同開閉器取付機構にドアーキーのフック部が係合したときの側面図である。なお、実施例１と同様な構成部品には同じ符号を付して、その詳細を省略する。
【００２５】
本実施例図７の高周波加熱装置は扉開閉ボタンを備えておらず、使用者は扉１８のハンドル１８Ａを引いて扉１８の開閉を行う。この高周波加熱装置では、扉１８が開放方向に引かれた際に、ドアーキー１７と開閉器取付板２との係合が容易に解除されねばならないので、図９に示すように、上フック部１７Ａと下フック部１７Ｂの係合部に傾斜を持たせている。従って、ハンドル１８Ａが引かれると上フック部１７Ａと下フック部１７Ｂに上向きの力がかかり、この力がドアーキー１７の付勢力より大きくなると、ドアーキー１７が上方向に摺動して開口２Ｃと２Ｄから外れて扉１８が開く。
【００２６】
本実施の開閉器取付板２には、第二の開閉器４を位置決めする窪みまたは突起などを２箇所に備え、第二の開閉器４をいずれかの位置に選択的に取り付けることが可能である。この実施例における高周波加熱装置では、図８、図１０に示すように、第二の開閉器４を図２に示すよりも上方の位置に取り付けているので、開閉レバー９が使用されていない状態で、下フック部１７Ｂにより第二の開閉器４を直接開閉することができる。これにより、開閉器取付板２は１種類の部品として、２種類の異なった構造の製品に共用することが可能になり、部品の供給や生産の簡易化とコスト削減が図れる。
【００２７】
【発明の効果】
以上の説明のように、請求項１から５に記載の発明によれば、部品点数の少ない簡単な開閉器取り付け構造により、いたずらによる高周波加熱装置の誤動作や、塵による動作不良などを低減することができる。
【００２８】
また請求項６に記載の発明によると、開閉レバーの動作は開閉器作動部材に邪魔されることなく、扉の開閉をスムースに行うことができる。
【００２９】
さらに請求項７に記載の発明は、１種類の開閉器取付板上に選択可能な開閉器取り付け位置を２箇所以上設けているので、異なった構造の製品にも共用することが可能になり、部品の供給や生産の簡易化とコスト削減が図れる。
【図面の簡単な説明】
【図１】本発明の第一の実施例による高周波加熱装置の正面図
【図２】同高周波加熱装置の開閉器取付機構の側面図
【図３】同高周波加熱装置の開閉器取付機構の正面図
【図４】同高周波加熱装置の加熱庫の扉に設けられたドアーキーの外観図
【図５】同高周波加熱装置の扉を開閉するための開閉レバーの側面図
【図６】同高周波加熱装置の扉が閉じられて同開閉器取付機構にドアーキーのフック部が係合したときの側面図
【図７】本発明の第二の実施例による高周波加熱装置の正面図
【図８】同高周波加熱装置の開閉器取付機構の側面図
【図９】同高周波加熱装置の加熱庫の扉に設けられたドアーキーの外観図
【図１０】同高周波加熱装置の扉が閉じられて同開閉器取付機構にドアーキーのフック部が係合したときの側面図
【図１１】従来の高周波加熱装置の開閉器取付機構の１例を示す側面図
【図１２】従来の高周波加熱装置の開閉器取付機構の別な例を示す側面図
【図１３】従来の高周波加熱装置の開閉器取付機構のさらに別な例を示す側面図
【符号の説明】
２  開閉器取付板
２Ｂ  ストッパー
３  第一の開閉器
４  第二の開閉器
５  第三の開閉器
６  開閉器作動部材
７、１７  ドアーキー
８、１８  扉
９  開閉レバー
【図１】
2004198082.tif 000003
【図２】
2004198082.tif 000004
【図３】
2004198082.tif 000005
【図４】
2004198082.tif 000006
【図５】
2004198082.tif 000007
【図６】
2004198082.tif 000008
【図７】
2004198082.tif 000009
【図８】
2004198082.tif 000010
【図９】
2004198082.tif 000011
【図１０】
2004198082.tif 000012
【図１１】
2004198082.tif 000013
【図１２】
2004198082.tif 000014
【図１３】
2004198082.tif 000015